(57)【要約】    【課題】実釣時において釣人がフッキング動作を行った場合であっても、グリップと釣人の手との間に滑りが生じない釣竿の提供。    【解決手段】この釣竿は、グリップ１２が設けられた釣竿本体（元節１７）と、グリップ１２に設けられた係合突起２４とを有する。係合突起２４は、顎部２９と本体３０とを有する。顎部２９は、錐体形状に形成されており、釣人の親指３２と人差指３３との境界部分に引っ掛かる形状である。係合突起２４の脚部２７はグリップ１２に固定されており、可撓性を有する。この脚部２７は、コイルバネにより構成される。【選択図】図３
2005095007.tif 000002
【特許請求の範囲】
【請求項１】
釣竿本体と、
釣竿本体に設けられ、釣人が把持するためのグリップと、
釣人がグリップを把持した状態で釣人の親指と人差指との間に配置されるようにグリップに突設された係合突起とを備えた釣竿。
【請求項２】
上記係合突起は、
釣人の親指と人差指との間に引掛かる顎部が形成された本体と、
本体に連続し、グリップに連結される脚部とを備える請求項１に記載の釣竿。
【請求項３】
上記顎部は、
脚部に連続し、漸次滑らかに拡径された錐体形状を呈している請求項２に記載の釣竿。
【請求項４】
上記脚部は、可撓性を有する請求項１又は２に記載の釣竿。
【請求項５】
上記グリップに対する上記係合突起の位置を変化させる位置変化機構が設けられている請求項１ないし４のいずれかに記載の釣竿。
【請求項６】
上記位置変化機構は、
グリップに複数設けられ、上記係合突起を保持する取付孔を備えている請求項５記載の釣竿。
【発明の詳細な説明】
【技術分野】
【０００１】
本発明は、釣竿の構造、特に釣竿に設けられたグリップの構造に関するものである。
【背景技術】
【０００２】
釣人は、釣竿を把持し、これを操作することによって、ルアーやベイトのキャスト、ライン姿勢の修正やリーリング、ターゲットフィッシュがバイトしたときのアクション及びリアクション等を行う。したがって、釣竿は、実釣時においてきわめて重要な役割を果たすのであるが、釣竿の性能が十分に発揮されるためには、当該釣竿が釣人によって確実に把持されるものであることが必要である。つまり、釣人の手と釣竿との間に容易に滑りが生じないように対策が講じられる必要がある。そのため、従来の釣竿では、釣人が把持する部分（一般に「グリップ」と称される。）は、種々の滑止処理が施されている（例えば、特許文献１参照）。
【０００３】
【特許文献１】特開２００３−１１６４２１号
【発明の開示】
【発明が解決しようとする課題】
【０００４】
従来の一般的な滑止処理は、例えば釣竿のグリップの表面に微小突起が多数設けられること等により行われている。このような滑止処理によって所定の滑止効果が得られているが、それでもなお実釣においては、より効果的な滑止効果が要請されている。特に、ターゲットフィッシュがバイトした際に釣人が行うフッキング動作時に、釣人の手とグリップとの間に滑りが生じることは確実に防止される必要がある。
【０００５】
そこで、本発明の目的は、実釣時において釣人がフッキング動作を行った場合であってもグリップと釣人の手との間に滑りが生じない釣竿を提供することである。
【課題を解決するための手段】
【０００６】
(1) 上記目的が達成されるための、本発明に係る釣竿は、釣竿本体と、釣竿本体に設けられ、釣人が把持するためのグリップと、釣人がグリップを把持した状態で釣人の親指と人差指との間に配置されるようにグリップに突設された係合突起とを備えたことを特徴とするものである。
【０００７】
釣人がグリップを握る際には、グリップは、釣人の親指と人差指との間に配置される。上記構成によれば、グリップに係合突起が設けられているから、釣人がグリップを握った状態では、係合突起が釣人の親指と人差指との間に挟み込まれた状態となる。つまり、係合突起は、釣人の親指及び人差指に引っ掛かる。
【０００８】
(2) 上記係合突起は、釣人の親指と人差指との間に引掛かる顎部が形成された本体と、本体に連続し、グリップに連結される脚部とを備えて構成され得る。この場合では、釣人がグリップを握ると、脚部が釣人の親指と人差指との間に配置され、この脚部に連続する顎部が親指と人差指との境界部分に当接した状態で本体が親指と人差指との間から突出する。このように、顎部が親指と人差指との境界部分に当接するので、係合突起は、確実に釣人の手に係合し、確実な滑止めが実現される。
【０００９】
(3) 特に上記顎部は、脚部に連続し、漸次滑らかに拡径された錐体形状に形成されているのが好ましい。顎部がかかる形状に形成されることにより、当該顎部は、釣人の手にフィットするので、釣人にとってグリップの握り心地が良いという利点がある。
【００１０】
(4) 上記脚部は、可撓性を有しているのが好ましい。脚部が可撓性を有することにより、グリップに対する釣人の手の姿勢が変化した場合であっても、これに応じて係合突起の姿勢が変化する。したがって、釣人によってグリップの握り方が異なる場合であっても、係合突起は、釣人の手に確実にフィットすることができるという利点がある。
【００１１】
(5) 上記グリップに対する上記係合突起の位置を変化させる位置変化機構がさらに設けられていてもよい。これにより、係合突起は、当該釣人の手に最もフィットする位置に配置されることができる。したがって、釣人の手とグリップとの間に滑りが生じることが一層確実に防止されると共に、釣人にとってグリップの握り心地が一層向上する。
【００１２】
この位置変化機構は、グリップに複数設けられ、上記係合突起を保持する取付孔を備えて構成され得る。この構成では、位置変化機構がきわめて簡単な構造であるから、係合突起の位置を調整する手段がきわめて安価に構成される。
【発明の効果】
【００１３】
以上のように本発明によれば、釣人がグリップを握ると、係合突起が釣人の親指及び人差指に引っ掛かるので、実釣時において釣人が釣竿をいかに操作しようとも釣人の手はグリップから容易に外れることはない。したがって、例えば、釣人がフッキング動作を行った場合であってもグリップと釣人の手との間に滑りが生じず、きわめて使い勝手の良い釣竿が提供される。
【発明を実施するための最良の形態】
【００１４】
以下、適宜図面が参照されつつ、好ましい実施形態に基づいて本発明が詳細に説明される。
【００１５】
図１は、本発明の一実施形態に係る釣竿１０の正面図である。
この釣竿１０は、いわゆるインナーガイドタイプの振出式釣竿である。釣竿１０は、釣竿本体１１及びグリップ１２とを備えている。グリップ１２は、釣人が釣竿１０を把持する部分である。本実施形態に係る釣竿１０の特徴とするところは、グリップ１２が後述される係合突起２４を備えている点であり、これにより、グリップ１２は、釣人にとって握り易くて確実に把持され、釣人の手とグリップ１２との間で滑りが生じないようになっている。以下、釣竿１０の構成について詳述される。
【００１６】
釣竿本体１１は、５つの筒状部材１３〜１７から構成されている。各筒状部材１３〜１７は、それぞれ「節」と称され、釣竿本体１１の先端側（図中右側）から順に第１番節１３、第２番節１４と称される。第４番節１６は、特に「元上節」と称され、第５番節１７は、特に「元節」と称される。各節１３〜１７は、既知の要領で構成される。例えば、炭素繊維強化樹脂（カーボンプリプレグ）が所定形状に裁断され、これがマンドレルに巻回されて焼成されることによって、円筒状の節１３〜１７が形成される。なお、この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００１７】
第１番節１３は、第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３を第２番節１４から引き出した際に、第１番節１３の後端部分が第２番節１４の先端部分とかみ合って両者が固定されるようになっている。
【００１８】
第２番節１４と第３番節１５との関係及び第３番節１５と元上節１６との関係も同様である。また、第２番節１４ないし元節１７の先端部には、当該部分の剛性を向上させ、隣り合う節のかみ合いを確実なものとするために、リングＲ１〜Ｒ４が装着されている。さらに、元上節１６の先端部分には図示しない釣糸導入孔が設けられており、この釣糸導入孔に釣糸を導くための導入ガイド１９が取り付けれている。なお、上記トップガイド１８及び導入ガイド１９は、既知の構成であるので、その詳しい説明は省略される。
【００１９】
元節１７には、リールシート２０が設けられている。リールシート２０は、釣用リール（図示せず）を着脱自在に保持するためのものである。本実施形態では、このリールシート２０は、グリップ１２と一体的に形成されている。リールシート２０は、釣用リールの脚部の一方を収容保持するフード２１と、釣用リールの脚部の他方を収容保持する可動フード２２とを備えている。可動フード２２は、釣用リールが載置される載置面２３に沿って図中左右にスライド可能となっている。そして、可動フード２２が図中左右にスライドすることにより、可動フード２２とフード２１との間でリール脚部が挟持され、釣用リールが載置面２３上で固定されるようになっている。
【００２０】
図２は、釣竿１０の要部拡大分解斜視図であり、グリップ１２部分の構造が詳細に示されている。
グリップ１２は、同図が示すように、元節１７と一体的に形成されている。したがって、元節１７、グリップ１２及び上記リールシート２０は、一体的に形成されていることになる。もっとも、グリップが別部材として構成され、これが元節１７に装着される構造であってもよいことは勿論であり、その場合、リールシートは、当該グリップと一体的に形成され得る。
【００２１】
グリップ１２には、長手方向に沿って凹条２５が形成されている。同図では、単一の凹条２５のみが図示されているが、実際には、元節１７の長手方向を中心にしてグリップ１２の両側に左右対称に一対の凹条２５が設けられている（図１及び図２参照）。この凹条２５は、釣人がグリップ１２を握った際に滑りが生じることを防止するものであるが、これら凹条２５は無くてもよい。
【００２２】
係合突起２４は、この凹条２５の内部に設けられている。係合突起２４は、本体２６と脚部２７とを備えている。脚部２７は、コイルバネにより構成されており、その軸方向及びこれに交差する方向に自在に撓むことができるようになっている。このコイルバネは、ステンレス鋼からなる線材により構成されているのが好ましく、線径寸法が０．２ｍｍ〜１．０ｍｍの線材が３０回〜１５０回程度巻かれ、外径寸法が３．０ｍｍ〜６．０ｍｍのパイプ状に形成されている。
【００２３】
グリップ１２の上記凹条２５には、取付凹部２８が設けられている。この取付凹部２８は、上記脚部２７の端部を収容保持するものである。取付凹部２８の内径寸法は、脚部２７の外径寸法（上記コイルバネの外径寸法）に対応されており、脚部２７は、隙間なく取付凹部２８内に嵌め込まれる。なお、脚部２７は、例えば接着剤等によって取付凹部２８内に固定される。
【００２４】
本体２６は、顎部２９と頭部３０とを備えており、全体として略電球状に形成されている。顎部２９は、錐体形状を呈しており、下方から上方に向かって漸次拡径されている。すなわち、顎部２９は、下端部から上方に向かって外径寸法が滑らかに大きくなっており、その輪郭を規定する母線が双曲線状となっている。この顎部２９の下端部は、上記脚部２７を構成するコイルバネの内部に嵌め込まれており、両者は、例えば接着剤等によって固着されている。一方、頭部３０は、顎部２９に連続して上方に形成されており、半紡錘形に形成されている。
【００２５】
上記本体２６が脚部２７に嵌め込まれ、さらに当該脚部２７がグリップ１２の取付凹部２８に取り付けられることによって、係合突起２４は、グリップ１２に径方向に突出するように設けられる。これにより、係合突起２４は、釣人がグリップ１２を握った際に、釣人の親指と人差指との間に配置される。
【００２６】
図３は、釣人が釣竿１０を把持した状態での当該釣竿１０の要部拡大図である。
本実施形態に係る釣竿１０には上記リールシート２０が設けられているから、これに釣用リール３１が装着される。なお、同図では、釣用リール３１の脚部のみが図示されている。この状態で、釣人は釣竿１０のグリップ１２を把持するのであるが、釣人がグリップ１２を握る際には、グリップ１２は、釣人の親指３２と人差指３３との間に配置される。そして、グリップ１２には係合突起２４が設けられているから、釣人がグリップ１２を握った状態では、係合突起２４が上記親指３２と人差指３３との間に挟み込まれた状態となり、係合突起２４は、釣人の親指３２及び人差指３３に引っ掛かる。
【００２７】
図４は、釣人がフッキング動作を行ったときの釣竿１０の要部拡大図である。
前述のように、釣人がグリップ１２を握ったときには、係合突起２４が親指３２及び人差指３３に引っ掛かるので、実釣時において釣人が釣竿１０をいかに操作しようとも釣人の手はグリップ１２から容易に外れることはない。したがって、例えば、釣人がフッキング動作を行って釣竿１０が起立された場合であってもグリップ１２と釣人の手との間に滑りが生じず、釣人は、釣竿１０を安定して操作することができる。
【００２８】
特に、本実施形態では、釣人がグリップ１２を握ると、係合突起２４の脚部２７が釣人の親指３２と人差指３３との間に配置され、この脚部２７に連続する顎部２９が親指３２と人差指３３との境界部分に当接し、頭部３０が親指３２と人差指３３との間から突出する。このように、顎部２９が親指３２と人差指３３との境界部分に当接するので、係合突起２４は、確実に釣人の手に係合し、確実な滑止めが実現される。
【００２９】
また、上記顎部２９が錐体形状に形成されていることにより、顎部２９は、釣人の手にフィットし、釣人にとってグリップ１２の握り心地が良いという利点がある。
【００３０】
さらに、本実施形態では、脚部２７が可撓性を有しているので、グリップ１２に対する釣人の手の姿勢が変化した場合であっても、これに応じて係合突起２４の姿勢が変化する。したがって、釣人によってグリップ１２の握り方が異なる場合であっても、脚部２７が変形することによって、係合突起２４は、釣人の手に確実にフィットすることができ、一層確実な滑止が実現される。
【００３１】
なお、本実施形態では、脚部２７がコイルバネにより構成され、脚部２７が弾性的に変形するが、脚部２７は、弾性的に変形しなくとも、釣人の手にフィットするように撓むものであればよい。例えば、脚部２７が鉛等の柔らかい金属により構成されていてもよい。この場合には、一旦変形した脚部２７は、当該形状が維持されることになるが、脚部２７が自在に変形し得るものであるから、釣人によってグリップ１２の握り方が異なる場合であっても、脚部２７が変形して係合突起２４が釣人の手に確実にフィットする。
【００３２】
なお、本実施形態において、係合突起２４の外形形状は、他の形状に形成されていてもよいことは勿論である。例えば、顎部２９は、前述のような錐体形状の他に略樽形等に形成される等、要するに釣人の親指３２及び人差指３３の境界部分に引っ掛かるような形状であればよい。また、頭部３０は、さらに外径寸法が大きく設定され、釣人の手の甲に当接するような形状等、さまざまな形状が採用され得る。
【００３３】
次に、本実施形態の変更例について説明される。
図５は、本実施形態の変更例に係る釣竿３５の要部拡大分解斜視図であり、グリップ１２部分の構造が詳細に示されている。
【００３４】
この変更例に係る釣竿３５が上記実施形態に係る釣竿１０と異なるところは、グリップ１２が係合突起２４の取付位置を変化させる位置変化機構３６を備えている点である。なお、その他の構成については、上記実施形態に係る釣竿１０と同様である。
【００３５】
位置変化機構３６は、グリップ１２に複数設けられた取付孔３７により構成されている。これら取付孔３７は円形の孔であり、凹条２５に沿って５カ所に設けられている。取付孔３７の内径寸法は、脚部２７の外径寸法に対応されている。これにより、脚部２７の下端部は各取付孔３７に隙間なく嵌め込まれ、脚部２７は、所定の保持力で保持される。このことは、脚部２７は、上記所定の保持力に抗して引っ張られることによって取付孔３７から取り外されるものであり、したがって、脚部２７は、各取付孔３７のうち釣人所望のものに嵌め込まれ保持され得る。
【００３６】
このように本変形例では、釣人は、係合突起２４を自己の手に最もフィットする位置に配置することができる。したがって、釣人の手とグリップ１２との間に滑りが生じることが一層確実に防止されると共に、釣人にとってグリップ１２の握り心地が一層向上するという利点がある。しかも、本変形例では、この位置変化機構３６は、グリップ１２に複数設けられた取付孔３７により構成されているから、係合突起２４の位置を調整する手段がきわめて安価に構成されるという利点もある。
【００３７】
次に、本実施形態の他の変更例について説明される。
図６は、本実施形態の他の変更例に係る釣竿の要部拡大分解斜視図であり、グリップ１２部分の構造が詳細に示されている。
【００３８】
本変形例に係る釣竿が上記実施形態に係る釣竿１０と異なるところは、上記実施形態では、係合突起２４の脚部２７が可撓性を有していたのに対し、本変形例では、脚部２７は、可撓性を有していない点、及び上記変形例と同様に位置変化機構３６を備えている点である。なお、その他の構成については、上記実施形態に係る釣竿１０と同様である。
【００３９】
本変形例が示すように、係合突起２４の脚部２７は、顎部２９に連続して一体的に形成されている。この脚部２７は、同図が示すように円柱状に形成されており、その外径寸法は、位置変化機構３６を構成する取付孔３７の内径寸法に対応されている。したがって、係合突起２４は、釣人によって把持され、脚部２７が釣人所望の取付孔３７に嵌め込まれることによって、所定の保持力でグリップ１２に保持される。なお、釣人は、係合突起２４を当該取付孔３７から取り外し、他の取付孔３７に嵌め込むことによって係合突起２４の位置を変更できることは前述の通りである。
【００４０】
この変形例においても、釣人がグリップ１２を握ったときには、係合突起２４が釣人の指３２及び人差指３３に引っ掛かるので、実釣時において釣人が釣竿１０をいかに操作しようとも釣人の手はグリップ１２から容易に外れることはなく、したがって、例えば、釣人がフッキング動作を行って釣竿１０が起立された場合であってもグリップ１２と釣人の手との間に滑りが生じず、釣人は、釣竿１０を安定して操作することができる。
【００４１】
なお、本実施形態では、インナーガイドタイプの釣竿１０について開示されているが、本発明は、アウターガイドタイプの釣竿や、いわゆるのべ竿等にも適用されるものであることは勿論である。
【産業上の利用可能性】
【００４２】
本発明は、釣竿一般に適用され得る。
【図面の簡単な説明】
【００４３】
【図１】図１は、本発明の一実施形態に係る釣竿の正面図である。
【図２】図２は、本発明の一実施形態に係る釣竿の要部拡大分解斜視図である。
【図３】図３は、本発明の一実施形態に係る釣竿の要部拡大図である。
【図４】図４は、本発明の一実施形態に係る釣竿の要部拡大図である。
【図５】図５は、本発明の一実施形態の変更例に係る釣竿の要部拡大分解斜視図である。
【図６】図６は、本発明の一実施形態の他の変更例に係る釣竿の要部拡大分解斜視図である。
【符号の説明】
【００４４】
１０・・・釣竿
１１・・・釣竿本体
１２・・・グリップ
１７・・・元節
２４・・・係合突起
２５・・・凹条
２６・・・本体
２７・・・脚部
２８・・・取付凹部
２９・・・顎部
３０・・・津オブ
３２・・・親指
３３・・・人差指
３５・・・釣竿
３６・・・位置変化機構
３７・・・取付孔
【図１】
2005095007.tif 000003
【図２】
2005095007.tif 000004
【図３】
2005095007.tif 000005
【図４】
2005095007.tif 000006
【図５】
2005095007.tif 000007
【図６】
2005095007.tif 000008